(57)【要約】【課題】  ランプベースと、ランプベースに連結されたライトチューブと、を備える冷陰極蛍光ランプを提供する。【解決手段】  ライトチューブは、２つの端部を有するライトチューブ体と、それぞれの端部で封止されたゲッター水銀ディスペンサー電極と、を備える。ライトチューブ体は、約４ｍｍから約１０ｍｍの比較的大きな直径を有する。また、ゲッター水銀ディスペンサー電極は、ライトチューブ体の内部に適合するよう構成された寸法を有する。【選択図】  図２
0003141019.tif 000002
【実用新案登録請求の範囲】
【請求項１】
（ａ）ランプベースと、
（ｂ）前記ランプベースに連結されたライトチューブであって、２つの端部を備えるとともに約４ｍｍから約１０ｍｍの直径を有するライトチューブ体を備えるライトチューブと、
（ｃ）前記二つの端部で封止されるとともに前記ライトチューブ体の内部に適合するように構成された寸法を有するゲッター水銀ディスペンサー電極と、
を備える冷陰極蛍光ランプ。
【請求項２】
請求項１に記載の冷陰極蛍光ランプであって、前記ライトチューブ体の直径は約７ｍｍである冷陰極蛍光ランプ。
【請求項３】
請求項１に記載の冷陰極蛍光ランプであって、前記ゲッター水銀ディスペンサー電極は、一の一体形成された円筒形である冷陰極蛍光ランプ。
【請求項４】
請求項１に記載の冷陰極蛍光ランプであって、前記ゲッター水銀ディスペンサー電極は、間隔を開けて互いに平行に配置された２つのプレートの形状である冷陰極蛍光ランプ。
【請求項５】
請求項１に記載の冷陰極蛍光ランプであって、前記ゲッター水銀ディスペンサー電極は、ゲッター材料および水銀材料を備えている冷陰極蛍光ランプ。
【請求項６】
請求項１に記載の冷陰極蛍光ランプであって、前記ライトチューブ体には不活性ガスが充満されており、前記ライトチューブ体の内部表面は蛍光体で覆われている
冷陰極蛍光ランプ。
【請求項７】
請求項１に記載の冷陰極蛍光ランプであって、前記ライトチューブ体の形状は、螺旋状である冷陰極蛍光ランプ。
【請求項８】
請求項１に記載の冷陰極蛍光ランプであって、前記ライトチューブ体は、少なくとも１つのＵ字状部を有する冷陰極蛍光ランプ。
【請求項９】
請求項１に記載の冷陰極蛍光ランプであって、前記ゲッター水銀ディスペンサー電極は、２つのリード線に接続されている冷陰極蛍光ランプ。
【考案の詳細な説明】
【技術分野】
【０００１】
本願は、冷陰極蛍光ランプに関し、特に、冷陰極蛍光ランプのライトチューブに関する。
【背景技術】
【０００２】
冷陰極蛍光ランプは、よく知られており、チューブサイズが小さく、高い光度を有し、且つ光束発散度が均一であるため、液晶ディスプレイ、ネオンサイン、ピクチャーフレームディスプレイ、自動車計器盤およびスキャナーなど様々の分野において用いられている。
【考案の開示】
【考案が解決しようとする課題】
【０００３】
従来の冷陰極蛍光ランプは、直径が４ｍｍ未満であるライトチューブを有している。電極およびゲッター水銀ディスペンサーが、ライトチューブの２つの端のそれぞれに、配置される。寿命２０，０００時間を満たすため、小径のライトチューブにおけるこの種の小さい電極は、技術的な制約により、出力が低くなってしまう。さらに、小さい直径のライトチューブは壊れやすい。
【０００４】
コンパクト蛍光ランプとしては、他の種類の従来の蛍光ランプがある。この種のランプは、図１に示すように、上述の従来の冷陰極蛍光ランプより大きい直径を有するとともにアルゴンあるいはネオンなどの１つ以上の希ガスおよび多少の水銀が充満されているガラスエンベロープ１を、備える。２つの熱電極２により、放電が発生維持され、発光する。熱電極２は、ガラスエンベロープ１の２つの端部に配置された金属フィラメントの態様である。この種のランプは、寿命が短く、頻繁にランプのオン・オフ切換えが必要とする場所、あるいは明るさを調整する場所での使用には適していない。
【０００５】
冷陰極蛍光ランプの背景技術の上記説明は、本願において開示される冷陰極蛍光ランプの理解を助けるためになされたものであって、従来技術が本願において開示される冷陰極蛍光ランプであることを説明、意味するものではない。
【課題を解決するための手段】
【０００６】
本願は、冷陰極蛍光ランプに関するものである。冷陰極蛍光ランプは、ランプベースと、ランプベースに連結されたライトチューブと、を備える。ライトチューブは、２つの端部を有するライトチューブ体と、それぞれの端部で封止されたゲッター水銀ディスペンサー電極と、を備える。ライトチューブ体は、約４ｍｍから約１０ｍｍの比較的大きな直径を有する。また、ゲッター水銀ディスペンサー電極は、ライトチューブ体の内部に適合するよう構成された寸法を有する。
【０００７】
本願は、また、冷陰極蛍光ランプのライトチューブに関するものである。ライトチューブは、２つの端部を有するライトチューブ体と、それぞれの端部で封止されたゲッター水銀ディスペンサー電極と、を備える。ライトチューブ体は、約４ｍｍから約１０ｍｍの比較的大きな直径を有する。また、ゲッター水銀ディスペンサー電極は、ライトチューブ体の内部に適合するよう構成された寸法を有する。
【考案を実施するための最良の形態】
【０００８】
本願で開示される冷陰極蛍光ランプは、後述する詳細な実施形態に限定されず、添付の実用新案の範囲の精神あるいは範囲を逸脱することなく、種々の変形および変更を当業者によってなし得る。
【０００９】
なお、明細書および実用新案の範囲を通じて、あるエレメントが他のエレメントに「連結される」あるいは「接続される」という場合、あるエレメントは他のエレメントに必ずしも固定し、留める、あるいは取り付けることを意味しない。それよりむしろ、「連結される」あるいは「接続される」は、あるエレメントが他のエレメントに直接的あるいは間接的に接続される、または他のエレメントとの機械的あるいは電気的な連絡状態にあること、を意味する。
【００１０】
ここで用いる「ゲッター水銀ディスペンサー電極」は、ゲッター水銀ディスペンサーに組み込まれて単一ユニットを形成する電極を意味する。
【００１１】
図２は、本願の実施形態にかかる冷陰極蛍光ランプのライトチューブ１０の模式図である。
【００１２】
ライトチューブ１０は、螺旋状のライトチューブ体１２と、２つの端部１４，１４と、を有する。２つのゲッター水銀ディスペンサー電極１６，１６が、ライトチューブ１０の２つの端部１４，１４で、それぞれ封止されている。ライトチューブ１０の内部表面には、蛍光体などの蛍光パウダーが塗布されている。
【００１３】
約４ｍｍ未満の比較的小さな直径を有する冷陰極蛍光ランプの従来のライトチューブ体と比較して、ライトチューブ体１２は、約４ｍｍから約１０ｍｍの比較的大きな直径を有する。本願の実施形態では、ライトチューブ体１２の直径は約７ｍｍである。２つのゲッター水銀ディスペンサー電極１６，１６は、比較的大きな表面積を有するとともに、ライトチューブ１０の２つの端部１４，１４に適合するよう構成された寸法を有する。
【００１４】
ライトチューブ１０は、２つの端部１４，１４で封止されている。封止されたライトチューブ１０には、低圧の１つ以上の不活性ガスが充満されている。不活性ガスは、アルゴン、ネオン、クリプトンあるいはそれらの混合物とすることができる。電気信号によって励起されたとき、不活性ガスは紫外線を発生し、これにより、蛍光パウダーのコーティングが蛍光を発し、周囲を照らす。
【００１５】
冷陰極蛍光ランプは、例えば、液晶ディスプレイのバックライトの光源として用いられる場合、円筒状あるいはプレート状金属がライトチューブ内に電極として配置されるよう構成できる。
【００１６】
図３は、本願の実施形態にかかるゲッター水銀ディスペンサー電極１６の斜視図である。ゲッター水銀ディスペンサー電極１６は、ゲッター水銀ディスペンサーに組み込まれて単一ユニットを形成する電極である。図に示した実施形態では、ゲッター水銀ディスペンサー電極１６は、単一の一体的な円筒形状である。円筒状のゲッター水銀ディスペンサー電極１６は、２つのリード線２６に接続できる。
【００１７】
ゲッター水銀ディスペンサー電極１６は、ゲッター材料と、水銀材料とを備えている。ゲッター水銀ディスペンサー電極１６に配置されるゲッター材料は、ライトチューブ１０の内部の不要なガスを除去するスカベンジャーとして機能する。これにより、冷陰極蛍光ランプの起動特性が改善し、そして、ランプの寿命期間中にルーメン維持に役立つ。ゲッター材料は、アルミニウム、チタンおよびジルコニウムの混合物あるいは化合物とすることができる。
【００１８】
ゲッター水銀ディスペンサー電極１６上に配置される水銀材料は、水銀およびチタンの混合物あるいは化合物、または、他の適当な水銀化合物とすることができる。ゲッター材料および水銀材料は、コーティングあるいはボンディングなど適切な方法によって、ゲッター水銀ディスペンサー電極１６，１６上に形成できる。ゲッター材料および水銀材料を円筒のどの面上に形成してもよいことは理解されよう。
【００１９】
ここでは、形状が円筒状であるゲッター水銀ディスペンサー電極を示したが、ゲッター水銀ディスペンサー電極として他の形状を採用することもできる。
【００２０】
図４は、本願の他の実施形態にかかるゲッター水銀ディスペンサー電極１８の斜視図である。ゲッター水銀ディスペンサー電極１８は、間隔を開けて互いに平行に配置された２つのプレート２０，２２の形状である。ゲッター水銀ディスペンサー電極１８は、２つのリード線２８に接続されている。ゲッター水銀ディスペンサー電極１８は、比較的大きな寸法を有するとともに、比較的大きな表面積をカバーするゲッター材料および水銀材料を有する。ゲッター材料および水銀材料は、間隔を開けて互いに平行に配置された２つのプレート２０，２２のどの面上に形成してもよい。
【００２１】
ここでは、円筒形状あるいは間隔を開けて互いに平行に配置された２つのプレート形状のゲッター水銀ディスペンサー電極１６，１８を示したが、ゲッター水銀ディスペンサー電極１６，１８を大きな表面積を有する他の形状を採用してもよい。例えば、ゲッター水銀ディスペンサー電極を、ボウル形状、あるいは間隔を開けて配置された３つ以上のプレート形状とすることができる。
【００２２】
図５は、本願の他の実施形態にかかるＵ字状の冷陰極蛍光ランプのライトチューブ１１０の模式図である。
【００２３】
Ｕ字形のライトチューブ１１０は、複数のＵ字に曲げられたライトチューブ体１１２と、２つの端部１１４，１１４と、を有する。２つのゲッター水銀ディスペンサー電極１１８，１１８が、ライトチューブ１１０の２つの端部１１４，１１４で、それぞれ封止されている。ライトチューブ１１０の内部表面は、蛍光体でコートされている。
【００２４】
図２に示した実施形態と同様、Ｕ字形ライトチューブ１１０のライトチューブ体は、約４ｍｍから約１０ｍｍの比較的大きな直径を有しており、そして、２つのゲッター水銀ディスペンサー電極１１８，１１８は、ライトチューブ１１０の２つの端部１１４，１１４の内部にそれぞれ適合するよう構成された比較的大きな表面積および寸法を有する。ライトチューブ１１０は、封止され、低圧の１つ以上の不活性ガスが充満されている。ゲッター水銀ディスペンサー電極１１８，１１８は、図４に示す、間隔を開けて互いに平行に配置された２つのプレート形状を採用することができる。ゲッター水銀ディスペンサー電極１１８，１１８は、円筒形状あるいは他の適当な形状とすることも考えられる。
【００２５】
複数のＵ字状に曲げられたライトチューブ体１１２を有するＵ字状ライトチューブ１１０を示したが、Ｕ字状ライトチューブ１１０は、１つのＵ字状部のみを有することもできる。
【００２６】
図６は、ランプベース３０に装着されるライトチューブ１０を有する冷陰極蛍光ランプの模式図である。ランプベース３０は、エジソン式ねじ込み口金あるいは他のタイプのランプベースを採用することができる。ランプは、一体形安定器および／あるいはリモート安定器、または、同様の電源に接続されて、電力が供給される。
【００２７】
本願において開示された冷陰極蛍光ランプの電極は、大きな表面積を有しており、円筒あるいは間隔を開けて配置されたプレート形状である。従来の冷陰極蛍光ランプのライトチューブと比較して、ライトチューブの直径は比較的大きい。
【００２８】
本願において開示された冷陰極蛍光ランプは、大きなチューブ直径および大きなゲッター水銀ディスペンサー電極によって、低電流、高電圧、低出力および壊れやすさなど従来のランプの欠点を克服することができる。大きなチューブ直径は、放電時間および電力消費を低減できるので、３０，０００時間にも及ぶ長寿命が期待できる。また、本願において開示された冷陰極蛍光ランプは、明るく、省エネルギーである。冷陰極蛍光ランプによるエネルギー消費量は、従来のランプより約４から５倍少ない。さらに、冷陰極蛍光ランプのオン・オフ切換の回数は、ランプの寿命期間中、１００万回を超える。
【００２９】
本願において開示された冷陰極蛍光ランプは、頻繁なオン・オフ切換、長時間のサービス、あるいは調整可能な照明が必要とされる場所で、広く使用できる。例えば、本願において開示された冷陰極蛍光ランプは、広場のフラッシュライト、ホテルの調整可能なベッドランプ、読書灯、ホールの吊り電灯、および届きにくく交換しにくい照明のランプとして用いることができる。
【００３０】
本願において開示される冷陰極蛍光ランプをいくつかの好ましい実施形態を特に参照して示し、説明したが、添付の実用新案請求の範囲から逸脱することなく種々の変形および変更を行うことができることを述べておく。
【図面の簡単な説明】
【００３１】
【図１】従来技術の省エネルギー蛍光ランプのライトチューブの側面図である。
【図２】本願において開示される実施形態にかかる冷陰極蛍光ランプのライトチューブの側面図である。
【図３】本願において開示される実施形態にかかる円筒形状のゲッター水銀ディスペンサー電極の斜視図である。
【図４】本願において開示される他の実施形態にかかる間隔を開けて互いに平行に配置された２つのプレート状のゲッター水銀ディスペンサー電極の斜視図である。
【図５】本願において開示される他の実施形態にかかる冷陰極蛍光ランプのＵ字状ライトチューブの側面の立面図である。
【図６】ランプベースに装着されるライトチューブを有する冷陰極蛍光ランプの側面の立面図である。
【符号の説明】
【００３２】
１０，１１０  ライトチューブ
１２，１１２  ライトチューブ体
１４，１１４  端部
１６，１８，１１８  ゲッター水銀ディスペンサー電極
２６，２８  リード線
３０  ランプベース
【図１】
0003141019.tif 000003
【図２】
0003141019.tif 000004
【図３】
0003141019.tif 000005
【図４】
0003141019.tif 000006
【図５】
0003141019.tif 000007
【図６】
0003141019.tif 000008